(57)【要約】      （修正有）【課題】体積低減によるスペース節約及び持ち運びやすい実用効果に達成することができる、折畳んで収納できる床全体式ローラー按摩マットを提供する。【解決手段】二組の半体床型マット21,22の内側の中段において、其々独立したモーターに駆動される主動式回転軸311,321を取り付けて、また其々一組の、回転軸に設置される、軸向きへの横移動が往復できる受動式ローラー按摩台312,322を引き連れた按摩装置31,32からなるものであり、その中において、一組の、二つの半体床型按摩マットにおいて中継としての電源またはスイッチ、回路制御装置4を設けると、該二組の按摩装置31,32によって其々その上にあるローラー按摩台312,322を駆動して独立運転、同時運転または接続運転など切替選択が提供でき、そしてその上に横臥になったり凭れかかったりする使用者Pは制御装置4のプッシュ釦を使って次のような設定を簡易に選択できる。【選択図】図３Ａ
0003120820.tif 000002
【実用新案登録請求の範囲】
【請求項１】
二組の半体床型マットを以って、マット外周にある被覆マットによって、二つのマットを床全体に接続する場合、頂き段にある寄り合わせる箇所を連結とし、二つの半体床型マットを重ねに折畳むことができるものからなり、その特徴とは、該二組の半体床型マットの内側の中段において、其々独立したモーターに駆動される主動回転軸を取り付けて、其々一組の、回転軸に設置した、軸向きへの横移動が往復できる受動式ローラー按摩台を引き連れ;一組の、二つの半体床型按摩マットにおいて中継として設けた電源またはスイッチ、回路制御装置によって該二組の半体床型按摩マットへ独立運転、同時運転または接続運転との切替選択が提供できるため、本床全体式ローラー按摩マットを折畳んで収納することができ、体積低減によるスペース節約並びに持ち運びやすいことを特徴とする、折畳んで収納できる床全体式ローラー按摩マット。
【考案の詳細な説明】
【技術分野】
【０００１】
本考案の、折畳んで収納できる床全体式ローラー按摩マットとは、二組の重ねに折畳んで収納できる半体床型マットに対して、そのマットの内側の中段において其々独立したモーターに駆動される主動回転軸を取り付けて、そして其々一組の、回転軸に設置した、軸向きへの横移動が往復できる受動式ローラー按摩台を引き連れて、一組の電源或いはスイッチ、回路制御装置を二つの半体の床型按摩マットに中継として設けることにより、更に該二組の半体床型按摩マットに独立運転、同時運転或いは接続運転との切替選択が提供できる床全体式ローラー按摩との効果を実現したものである。
【背景技術】
【０００２】
よって、床全体式按摩マットの用途といえば、主としては使用者が免れかかったり、横臥になったりするとき、按摩パーツの運転、移動によってその背中或いは腰、並びに腿部まで伸びて、揉み、捻り或いは叩きなど人間の真似をする按摩操作を与えるものである。そしてこのような按摩マットとは、主としては一人或いは比較的に小さい床型規格において、伝統の椅子免れマット型または座布団型よりも倍に延長された按摩パーツを並べて、その按摩操作により、定位または首部から下へと腰、腿部まで伸びてからまた戻るように繰り返すことができ、その床全体式設計では、人体が横臥になったりするときの1快適性に符合できるし、また全身に渡り、上から下へ、下から上へとの接続で順番に按摩する自然度も有し、特に椅子枠との結合が不要なため、製作コストからにしても、重量から見ても皆、伝統の、座り姿勢または免れかかることを中心にした按摩椅子より経済的で使い勝手など優勢を持っている。
しかしながら、伝統のこのような床全体式按摩マットは、単一の駆動装置によって、床よりやや短い連続配置式按摩パーツが駆動されるため、このような構造では、該縦向きへの移動運転を支持する支持機構の制限により、床全体式マットの寸法規格が全然縮小できなくなり、それで平素使わないとき、スペースが取れるし、運搬もし難いなど実用面から考えると実に早急改善すべき欠点がある。
従って、中華民国新型特許申請案第88215262号の「按摩床」では、既にそれに対して按摩パーツが往復移動するための軌道(図面にある参考ナンバー20)の中段に枢接点(図4-Aの構造イメージ図を参考してください。参考ナンバー22)を設けることにより、全体のマットを折畳んで体積を減少させるという予期設計(図4-Bの使用イメージ図を参考してください)を実現したものである。唯、この構造では、軌道を折畳んだ後、再び広げて平らで真直ぐに復帰させる場合、按摩パーツの滑るスムーズさが厳しく影響されるし、また長い形状の軌道の製作並びにその枢接点における構造上の精密度、困難度など皆高い他、該床全体式の床カバーの外周被覆型構造では、折畳むとき、軌道における枢接点の位置の外周に障碍をもたらすことがあるため、実施するとき、その図面に示したように完壁に折畳んで合せることができないのでその構造は適用ではないものになる。
【特許文献１】中華民国新型特許申請案第88215262号
【考案の開示】
【考案が解決しようとする課題】
【０００３】
本考案における主な目的は、体積減少によるスペース節約並びに持ち運びやすいなど実用効果を実現させることのできる、一種の折り畳んで収納できる床全体式ローラー按摩マットを提供することにある。
【課題を解決するための手段】
【０００４】
本考案の、一種の折り畳んで収納できる床全体式ローラー按摩マットは、二組の半体床型マットの外周の被覆マットを頂き段にある寄り合せ箇所を連結とすることによって、重ねに折畳むことができ、そして該二組の半体床型マットの内側の中段において、其々独立したモーターに駆動される主動回転軸を取り付けて、また其々一組の、回転軸に設置した、軸向きへの横移動が往復できる受動式ローラー按摩台を引き連れ、更に一組の、二つの半体床型按摩マットにおいて中継としての電源またはスイッチ、回路制御装置を設けると、該二組の半体床型按摩マットへ独立運転、同時運転または接続運転など切替選択が提供でき、このような機構によって、本考案の床全体式ローラー按摩マットでは中段を折畳む半体収納が実行できる。
【考案を実施するための最良の形態】
【０００５】
次から、本考案の構造における実施及び使用例について、図示に合せて説明させていただく。まず、第一、二図に示したように、本考案の構造は主として二組の半体床型マット21,22からなり、そしてマット外周の被覆マットによって二つのマットを全体の床に接続するとき、頂き段の寄り合わせ箇所を連結Sとし、二つの半体床型マット21,22を重ねに(図2-Aのように)折畳むことができるものである。その特徴とは、該二組の半体床型マット21,22の内側の中段において、其々独立したモーターに駆動される主動式回転軸311,321を取り付けて、また其々一組の、回転軸に設置される、軸向きへの横移動が往復できる受動式ローラー按摩台312,322を引き連れた按摩装置31,32からなるものであり、その中において、一組の、二つの半体床型按摩マットにおいて中継としての電源またはスイッチ、回路制御装置4を設けると、該二組の按摩装置31,32によって其々その上にあるローラー按摩台312,322を駆動して独立運転、同時運転または接続運転など切替選択が提供でき、そしてその上に横臥になったり凭れかかったりする使用者Pは制御装置4のプッシュ釦を使って次のような設定を簡易に選択できる。
1.上段の按摩装置31による単独運転で腰部以上に対する半段按摩操作(図3-Aのように)或いは
2.下段の按摩装置32による単独運転に設定して腰部以下に対する半段按摩操作(図3-Bのように)或いは
3.上・下段の按摩装置31,32による同時運転で全身に対する全段按摩操作(図3-Cのように)或いは
4.上段のマット21にあるローラー按摩台312が下へ下段のマット22まで移動してきたら運転が停止し、取替えて下段の按摩装置32にあるローラー按摩台322が続いて下へ移動して運転し、ローラー按摩台322が一番下の段まで移動してきたら、折り返して上へ上段のマット21まで移動してくると運転が停止し、上段の按摩装置31にあるローラー按摩台312が続いて上へ移動して運転し、ローラー按摩台312が一番上の段まで移動してきたら、折り返して下へ移動するように設定すると、二つのローラー按摩台311,312による接続運転で本考案のローラー按摩マットにおいて床全体、全身に対する循環按摩という効果を達成したのである(図3-Dのように)。
【０００６】
それから、二組の半体床型マット21,22を、頂き段にある寄り合わせ箇所の連結Sを以って全体床型マットに接続し、該二組の半体床型マット21,22の内側の中段において、其々独立した按摩装置31,32が設けてあり、使用しないとき、二つの半体床型マット21,22を合せて折畳んで重ねにすることができる(図2-Aのように)ため、機構に対して破壊または影響をもたらすことが無く、体積減少によるスペース節約並びに持ち運びやすいなど実用性を実現したのである。それは本考案における創作の積極的な目的及び効果である。
【図面の簡単な説明】
【０００７】
【図１】本考案の構造を展開した実施例の立体説明図。
【図２】本考案の構造を展開した実施例の断面説明図。
【図２Ａ】本考案の構造を折畳んで収納した実施例の断面説明図。
【図３Ａ】本考案の構造の半体床における按摩操作の断面説明図その一。
【図３Ｂ】本考案の構造の半体床における按摩操作の断面説明図その二。
【図３Ｃ】本考案の構造の全体床における按摩操作の断面説明図その一。
【図３Ｄ】本考案の構造の全体床における循環按摩操作の断面説明図その一。
【図４Ａ】中華民国新型特許申請案第88215262号案における構造の説明図。
【図４Ｂ】中華民国新型特許申請案第88215262号案における使用の説明図。
【符号の説明】
【０００８】
21、22  半体床型マット
31,32  按摩装置
311,321  回転軸
4  制御装置
S  連結
312,322  ローラー按摩台
P  使用者
【図１】
0003120820.tif 000003
【図２】
0003120820.tif 000004
【図２Ａ】
0003120820.tif 000005
【図３Ａ】
0003120820.tif 000006
【図３Ｂ】
0003120820.tif 000007
【図３Ｃ】
0003120820.tif 000008
【図３Ｄ】
0003120820.tif 000009
【図４Ａ】
0003120820.tif 000010
【図４Ｂ】
0003120820.tif 000011